(57)【要約】  第一カム（１）や第二カム（２）、固定カム（３）、スライドカム（４）、スプリング（６）を含む回転部品のヒンジ、また当該ヒンジを使用したモバイル端末を提供する。当該ヒンジは構造が簡単であり、組み立てし易く、二つ相対的に回転する主体の他に、第三の回転主体を連結することもでき、これだけでなく、必要に応じては、第二回転主体と第三回転主体の設計による回転プログラムの独立回転と連動を実現できるとともに、ヒンジのセルフロッキングを実現することもできる。当該ヒンジは各種三つの回転体の連結に適用し、特にモバイル端末の連結フレームやキーボードおよびスクリーンなどに適用し、開き・閉じの操作が便利になり、モバイル端末が開く作業角度範囲内において確実なサポートを提供することができる。【選択図】図１
2019529833.tif 000002
【特許請求の範囲】
【請求項１】
回転軸を備えた回転部品のヒンジであって、
第一回転フレームと同期回転するように連結され、前記回転軸の外側に軸方向に配置され、かつ、前記回転軸を中心として回転する第一カムと、
第二回転フレームと同期回転するように連結され、前記回転軸の外側に装着され、前記回転軸を中心として回転し、前記回転軸を沿ってスライドする第二カムと、
前記回転軸上に固定されて移動できず、回転軸と一緒に回転する固定カムと、
前記回転軸の外側に装着され、回転軸を中心として回転し、かつ、回転軸を沿ってスライドするスライドカムと
を含み、
前記第一カムと前記第二カムは、スライドカムの両端の外側にそれぞれ配置され、スライドカムと協働し、前記スライドカムは、第一カムと協働する第一カム構造と、第二カムと協働する第二カム構造とを両端に有し、
前記第二カムは、固定カムと協働する第三カム構造と、スライドカムおよび第二カム構造と協働する第四カム構造とを備え、
当該ヒンジは、スライドカムに向かう方向に第二カムに押す力を与えるためのスプリングをさらに備え、
当該ヒンジが閉じられた状態において、前記第二回転フレームは、スプリングによって第二カムに与えられた推進力と前記第三カム構造と固定カムとの協働よって、前記ヒンジにクランプ力が提供される、回転部品のヒンジ。
【請求項２】
前記スライドカムの第一カムに隣接する側は、前記回転軸とスライド可能に連結され、前記スライドカムの第二カムに隣接する側には、前記固定カムを収容するためのスペースがあり、当該ヒンジが閉じられた状態において、前記固定カムは前記スペース中に置かれる、請求項１に記載された回転部品のヒンジ。
【請求項３】
前記第一回転フレームと前記回転軸との間にはトルク機構が配置されており、当該トルク機構は、第一回転フレームが、いつでも回転停止でき、かつ、いつでも回転角度を維持できる機能を提供する、請求項１に記載された回転部品のヒンジ。
【請求項４】
前記第一回転フレームは前記回転軸の外側に装着された摩擦ジャケットに接続され、且つ、前記摩擦ジャケットは回転軸と係合しており、前記第一回転フレームがいつでも回転停止でき、かつ、いつでも回転角度を維持できる機能を提供する、請求項１に記載された回転部品のヒンジ。
【請求項５】
前記第二カムはエクステンションスリーブを備え、前記エクステンションスリーブは、スライドかつ回転可能に前記回転軸に係合し、前記スプリングはエクステンションスリーブの外側に装着されている、請求項１に記載された回転部品のヒンジ。
【請求項６】
前記ヒンジにはケーシングが設置され、前記スプリングや第二カムは前記ケーシングの中に置かれ、前記ケーシングと第二回転フレームは固定的に連結され、前記第二カムと前記ケーシングは、スライド可能に連結されるが、互いに相対回転できない、請求項１に記載された回転部品のヒンジ。
【請求項７】
前記第二カムの第三カム構造および第四カム構造は、それぞれ第二カムの半径の異なる同心リングの端面上に置かれ、
前記第三カム構造は、前記第二カムの外側のリングの端面上に置かれ、前記第四カム構造は外側のリングの内側のリングの端面上に置かれ、
前記第二カムと前記スライドカムとの係合と、前記第二カムと前記固定カムとの係合とは、当該ヒンジが開く段階と閉じる段階の異なる段階において切り替わる、請求項１に記載された回転部品のヒンジ。
【請求項８】
前記ヒンジには、限界角度、第二回転フレームの最大開き角度、および、第一回転フレームの最大開き角度があり、
第一限界角度は、第一フレームの最大開き角度より小さく、第一回転フレームの最大開き角度は、第二回転フレームの最大開き角度より小さく、
前記ヒンジが閉じられた状態から第一回転フレームが限界角度までの回転中において、第二回転フレームは第一回転フレームの回転によって動かされ、且つこれによって第二カムを回転させ、それと同時に、第二カムは固定カムに沿って登り、第二カムが回転している時に、第一カムから離れる方向にスライドして、前記スプリングを圧縮し、
前記第二回転フレームは、開かれる過程で限界角度まで回転すると、前記スプリングの押す力および第三カム構造と固定カムとの協働によって、自動的に最大角度まで開かれ、
限界角度になると、第一カムと第一カム構造との間には互いに挿し込まれるとともに、第一カムが一定の角度に回転するようにするスロットと挿し込み部位があり、前記一定の角度は第一回転カムの最大開き角度と限界角度との差であり、
限界角度を超えて引き続き回転し、第一回転フレームが開かれる場合、第二カムに押されて、スライドカムが第一カムに向けてスライドし、挿し込み部位はスロットの中に落ち、
限界角度から閉じられた状態まで前記第一回転フレームが回転する間、その回転中、第一カムは第二カムに向けてスライドするようにスライドカムを動かし、第四カム構造と第二カム構造の協働、および、第三カム構造と固定カムの協働によって、第一回転フレームよりも速いスピードで、閉じる方向に向けて限界角度まで第二カムが回転し、且つ第一カムから離れる方向にスライドし、前記スプリングを圧縮し、
閉じられる過程で、限界角度まで回転すると、前記スプリングの推進力、および、第三カム構造と固定カムとの間または第四カム構造と第二カム構造との間の協働によって、前記第二回転フレームは、閉じられる位置まで自動的に回転するとともに、第一カム方向に向けてスライドするように第二カムを押す、請求項１に記載された回転部品のヒンジ。
【請求項９】
第二回転フレームの最大回転角度に対応して、前記第三カム構造と固定カムとの係合は、凹溝と凸状物との係合である、請求項８に記載された回転部品のヒンジ。
【請求項１０】
回転連結される第一主体や第二主体を含み、請求項１から９までの何れか一項に記載されたヒンジをさらに備え、ここで、前記回転軸は第一主体上に連結され、前記第二主体は第一回転フレームと連結された、モバイル端末。
【発明の詳細な説明】
【技術分野】
【０００１】
本発明はモバイル端末およびそのヒンジに関するものであり、前記モバイル端末はノートＰＣやＰａｄ、携帯電話、ゲームプレイなどの電子製品である。
【背景技術】
【０００２】
目下、ノートＰＣやタブレット型コンピュータなどの携帯式電子製品は、安定して固定するために、フレームが設けられており、かつ、フレームの運動モードについても多くの要求が提案されている。
【発明の概要】
【発明が解決しようとする課題】
【０００３】
本考案は、複数の回転体の独立的な運動または連動機能が提供されるように、モバイル端末中に連結された回転部品のヒンジを提供することを目的とする。
【課題を解決するための手段】
【０００４】
かかる目的を実現するため、本考案は、以下の技術的手段を採用している。
回転部品のヒンジは、回転軸を備えており、さらに、
第一回転フレームと同期回転するように連結され、回転軸の外側に軸方向に配置され、かつ、回転軸を中心として回転する第一カムと、
第二回転フレームと同期回転するように連結され、回転軸の外側に装着され、回転軸を中心として回転し、回転軸を沿ってスライド第二カムと、
回転軸上に固定されて移動できず、回転軸と一緒に回転する固定カムと、
前記回転軸の外側に装着され、回転軸を中心として回転し、かつ、回転軸を沿ってスライドするスライドカムとを含んでいる。
第一カムと第二カムは、スライドカムの両端の外側にそれぞれ配置され、スライドカムと協働し、前記スライドカムは、第一カムと協働する第一カム構造と、第二カムと協働する第二カム構造とを両端に有し、
前記第二カムは、固定カムと協働する第三カム構造と、スライドカムおよび第二カム構造と協働する第四カム構造とを備え、
当該ヒンジは、スライドカムに向かう方向に第二カムに押す力を与えるためのスプリングをさらに備え、
前記ヒンジが閉じられた状態において、前記第二回転フレームは、スプリングによって第二カムに与えられた推進力と前記第三カム構造と固定カムとの協働によって前記ヒンジにクランプ力が提供される。
【０００５】
前記技術手段に基づき、本考案では同時に以下のさらなる技術手段を採用するか、または、これらのさらなる技術手段の組み合わせを採用するができる。
【０００６】
前記スライドカムの第一カムに隣接する側は、回転軸とスライド可能に連結され、前記スライドカムの第二カムに隣接する側には、前記固定カムを収容するためのスペースがあり、当該ヒンジが閉じられた状態において、前記固定カムは、前記スペース中に置かれる。
【０００７】
前記第一回転フレームと前記回転軸との間にはトルク機構が設置されており、当該トルク機構は、第一回転フレームが、いつでも回転停止でき、いつでも回転角度を維持できる機能を提供する。
【０００８】
前記第一回転フレームは、回転軸の外側に装着された摩擦ジャケットに接続され、且つ、前記摩擦ジャケットは回転軸と係合しており、第一回転フレームがいつでも回転停止でき、かつ、いつでも回転角度を維持できる機能を提供する。
【０００９】
前記第二カムはエクステンションスリーブを備え、前記エクステンションスリーブは、スライドかつ回転可能に回転軸に係合し、前記スプリングは、エクステンションスリーブの外側に装着されている。
【００１０】
前記ヒンジにはケーシングが設置され、前記スプリングや第二カムは前記ケーシングの中に置かれ、前記ケーシングと第二回転フレームは固定的に連結され、前記第二カムと前記ケーシングは、スライド可能に連結されるが、互いに相対回転できない。
【００１１】
前記第二カム上の第三カム構造および第四カム構造は、それぞれ第二カムの半径の異なる同心リングの端面上に置かれ、第三カム構造は、第二カムの外側のリングの端面上に置かれ、第四カム構造は外側のリングの内側のリングの端面上に置かれ、前記第二カムと前記スライドカムとの係合と、前記第二カムと前記固定カムとの係合とは、当該ヒンジが開く段階と閉じる段階の異なる段階において切り替わる。
【００１２】
前記ヒンジには、限界角度、第二回転フレームの最大開き角度、第一回転フレームの最大開き角度があり、第一限界角度は第一フレームの最大開き角度より小さく、第一回転フレームの最大開き角度は第二回転フレームの最大開き角度より小さい。
ヒンジが閉じられた状態から第一回転フレームが限界角度までの回転中において、第二回転フレームは第一回転フレームの回転によって動かされ、且つこれによって第二カムを回転させ、それと同時に、第二カムは固定カムに沿って登り、第二カムが回転している時に、第一カムから離れる方向にスライドして、前記スプリングを圧縮する。
開かれる過程で限界角度まで回転すると、前記スプリングの押す力および第三カム構造と固定カムとの協働によって自動的に最大角度まで開かれる。
限界角度になると、第一カムと第一カム構造との間には互いに挿し込まれるとともに、第一カムが一定の角度に回転するようにする溝と挿し込み部位があり、前記一定の角度は第一回転カムの最大開き角度と限界角度との差であり、限界角度を超えて引き続き回転し、第一回転フレームが開かれる場合、第二カムに押されて、スライドカムが第一カムに向けてスライドし、挿し込み部位はスロットの中に落ちるようにする。
限界角度から閉じられた状態まで前記第一回転フレームが回転する間、その回転中、第一カムは第二カムに向けてスライドするようにスライドカムを動かし、第四カム構造と第二カム構造の協働、および、第三カム構造と固定カムの協働によって、第一回転フレームよりも速いスピードで、閉じる方向に向けて限界角度まで第二カムが回転し、且つ第一カムから離れる方向にスライドし、前記スプリングを圧縮する。
閉じられる過程で、限界角度まで回転すると、前記スプリングの推進力、および、第三カム構造と固定カムとの間または第四カム構造と第二カム構造との間の協働によって、前記第二回転フレームは、閉じられる位置まで自動的に回転するとともに、第一カム方向に向けてスライドするように第二カムを押す。
【００１３】
第二回転フレームの最大回転角度に対応して、前記第三カム構造と固定カムとの係合は、凹溝と凸状物との係合である。
【００１４】
本考案の他の一つの技術手段としては、上記ヒンジを用いたモバイル端末を提供することである。そのため、本考案では以下技術手段を採択する。
回転連結の第一主体や第二主体を含み、前記モバイル端末には、上記いずれかのヒンジが設置されるが、そのうち、前記回転軸は第一主体上に連結され、前記第二主体は第一回転フレームと連結される、モバイル端末。
【００１５】
本考案の技術手段を使用することによって、本考案により提供される回転部品であるヒンジは構造が簡単であり、組み立てし易く、二つ相対的に回転する主体の他に、第三の回転主体を連結することもでき、これだけでなく、必要に応じては、第二回転主体と第三回転主体の設計による回転プログラムの独立回転と連動を実現できるとともに、ヒンジのセルフロッキングを実現することもできる。本考案のヒンジは各種三つの回転体の連結に適用し、特にモバイル端末の連結フレームやキーボードおよびスクリーンなどに適用し、開き・閉じの操作が便利になり、モバイル端末が開きの作業角度範囲内において確実なサポートを提供することができる。
【図面の簡単な説明】
【００１６】
【図１】図１は、モバイル端末に用いられた、本考案によって提供されるヒンジの実施形態の閉じ状態の斜視図である。
【図２】図２は、本考案によって提供されるヒンジ実施例をモバイル端末用いた時の第二回転フレームと第一回転フレームがその最大開き角度になっている時の斜視図である。
【図３】図３は、図２に示す状態を透明に示した第二回転フレームと第一回転フレームの斜視図である。
【図４】図４は、本考案によって提供されるヒンジ実施例の分解斜視図である。
【図５】図５は、第二カムの斜視図である。
【図６】図６は、固定カムの斜視図である。
【図７】図７は、第一回転フレームと第二回転フレームがいずれも最大開き角度になっている時の本考案によって提供されるヒンジの断面図である。
【図８】図８は、本考案によって提供されるヒンジ実施例が閉じ状態において、第一回転フレームと第二回転フレームを隠した状態の斜視図である。
【図９】図９は、図８に示す状態において、さらにスライドカムを隠した状態のヒンジの斜視図である。
【図１０】図１０は、本考案によって提供されるヒンジ実施例において、第一回転フレームが限界角度を超えたばかりの時に、第一回転フレームと第二回転フレームを隠した斜視図である。
【図１１】図１１は、図１０に示す状態において、さらにスライディングカムを隠した状態のヒンジの斜視図である。
【図１２】図１２は、本考案に提供されるヒンジ実施例において、第一回転フレームが限界角度を超えたばかりの時に、第二回転フレームが最大角度に開かれる時に、第一回転フレームと第二回転フレームを隠した状態の斜視図である。
【図１３】図１３は、図１２に示す状態において、さらにスライドカムを隠した状態の斜視図である。
【図１４】図１４は、本考案によって提供されるヒンジ実施例において、図１２に示す状態に基づき、第一回転フレームが最大開き角度まで回転している時に、第一回転フレームと第二回転フレームを隠した状態の斜視図である。
【図１５】図１５は、図１４に示す状態において、さらにスライドカムを隠した状態のヒンジの斜視図である。
【図１６】図１６は、本考案によって提供されるヒンジ実施例の閉じる中、第一回転フレームが限界角度未満の角度に戻ったばかりの時に、第一回転フレームと第二回転フレームを隠した状態の斜視図である。
【図１７】図１７は、図１６に示す状態において、さらにスライドカムを隠した状態のヒンジの斜視図である。
【図１８】図１８は、本考案によって提供されるヒンジ実施例の閉じる中において、第一回転フレームが閉じる位置に接近する時に、第一回転フレームと第二回転フレームを隠した状態の斜視図であり、この時、第二回転フレームも限界角度に接近する角度に戻る。
【図１９】図１９は、図１８に示す状態おいて、さらにスライドカムを隠した状態のヒンジの斜視図である。
【図２０】図２０は、本考案によって提供されるヒンジ実施例が閉じる中、第一回転フレームが閉じるまで回転し戻る時に、第一回転フレームと第二回転フレームを隠した状態の斜視図であり、この時、第二回転フレームも限界角度未満を過ぎたばかりの角度に戻る。
【図２１】図２１は、図２０示す状態において、さらにスライドカムを隠した状態のヒンジの斜視図である。
【発明を実施するための形態】
【００１７】
添付図のとおり、ここで提供される回転部品のヒンジは、
回転軸５と、
第一回転フレーム１００と同期回転するように連結され、回転軸５の外側に軸方向に配置され、回転軸を中心として回転する第一カムであって、回転軸上の段と、回転軸に組付けられたリミット連結部品１１とによって軸方向の位置が決められる第一カム１と、
第二回転フレーム２００に同期回転するように連結された第二カムであって、回転軸５の外側に装着され、回転軸５を中心として回転し、回転軸を沿ってスライドし、回転軸に対して円形の穴によって装着された、第二カム２と、
回転軸５上に固定されて移動できず、回転軸５と一緒に回転する固定カム３であって、ピン３１や、しまりばめや、その他の手段によって回転軸に連結された固定カム３と、
前記回転軸５の外側に嵌められ、回転軸５を中心に回転し、かつ、回転軸を沿ってスライドするスライドカム４であって、扁平な穴を通して回転軸５に連結されたスライドカム４と、を備えている。
【００１８】
第一カム１と第二カム２は、スライドカム４の両端の外側にそれぞれ配置され、スライドカム４と協働する。スライドカム４の一端は、第一カム１と係合した第一カム構造４１を有している。スライドカム４の他端は、第二カム２と係合した第二カム構造４２を有している。
【００１９】
第二カム２は、固定カム３と協働する第三カム構造２３を備えている。さらに、第二カム２は、スライドカム４および第二カム構造４２と協働する第四カム構造２４を備えている。
【００２０】
ヒンジは、スプリング６をさらに備えている。スプリング６は、スライドカム４に向けて第二カム２に押す力を与えるように取り付けられている。
【００２１】
ヒンジが閉じた状態では、スプリング６によって第二カム２に与えられる力と、第三カム構造２３と固定カム３とが協働し、第二カム２は、第二回転フレーム２００は閉じられる方向へ回転するように付勢される。その結果、第二回転フレーム２００は、第一回転フレーム１００に対する下向きの圧力を持ち、前記ヒンジをロックする力が提供される。
【００２２】
ヒンジにはケーシング７を備えている。スプリング６と第二カム２は、ケーシング７の中に配置されている。ケーシング７と第二回転フレーム２００は、固定的に連結されている。第二カム２とケーシング７は、スライド可能であるが、相対回転はできないように連結されている。そのため、第二カム２は、ケーシング７によって第二回転フレーム２００に連結されており、第二カム２は、ケーシング７に対してスライドできる。回転軸５の一端は、ケーシング７を通り抜けるとともに、ケーシング７に支えられている。
【００２３】
スライドカム４の第一カム１に隣接した側は、回転軸５にスライド可能に連結されている。そして、スライドカム４の第二カム２に隣接した側は、固定カム３を収容するためのスペース４３がある。そして、ヒンジが閉じられた状態において、固定カム３はスペース４３中に置かれる。
【００２４】
第一回転フレーム１００と回転軸５との間にはトルク機構が配置されている。トルク機構は、第一回転フレーム１００と回転軸５との間に配置されている。トルク機構は、摩擦ジャケット８を備えた摩擦機構が適用されうる。第一回転フレーム１００は、回転軸５の外側に装着された摩擦ジャケット８に接続されている。摩擦ジャケット８は、回転軸５と係合し、第一回転フレーム１００がいつでも回転停止でき、いつでも回転角度を維持するための摩擦力を提供する。
【００２５】
第二カム２は、エクステンションスリーブ２０を備えている。エクステンションスリーブ２０と回転軸５は、スライド可能かつ回転可能に係合している。エクステンションスリーブ２０は、第二カム２の安定性を高める。スプリング６は、エクステンションスリーブ２０の外側に装着されている。
【００２６】
第二カム２の第三カム構造２３と第四カム構造２４とは、それぞれ第二カムの半径の異なる同心リングの端面上に設けられている。第三カム構造２３は、第二カムの外側リングの端面に設けられている。第四カム構造２４は、外側リングの内側に配置されたリングの端面に設けられている。ヒンジの開と閉の異なる段階において、第二カム２とスライドカム４との協働と、第二カム２と固定カム４との協働とは切り替えられる。ある段階においては、第三カム構造２３と固定カム３とが協働し、スライドカム４は第二カム２に対して作用しない。ある段階においては、固定カム３とスライドカム４とが一緒に作用する。そして、この段階では、第三カム構造２３と固定カム３とが協働し、第二カム２構造と第四カム構造とが協働する。必要に応じて、固定カム３が作用せず、第二カム構造２と第四カム構造とが協働する。そして、設計された手順に従って第二回転フレーム２００が回転することが実現される。
【００２７】
第一カム１、第二カム２、固定カム３およびスライドカム４のカム面は、異なる目標のプログラムに従って、設計することができる。例えば、第二回転フレーム２００は、第一回転フレーム１００と同期して開かれる機能を実現できるだけでなく、第一回転フレーム１００が一定の角度（限界角度）に開かれる時に、第二回転フレーム２００が最適なサポート角度までスプリング作用によって自動的に開かれる。さらに、第二回転フレーム２００が最適なサポート角度までスプリング作用によって自動的に開かれた後、第一回転フレーム１００は、第二回転フレーム２００に影響を与えずに一定の角度範囲内で自由に回転できる。第一回転フレーム１００が限界角度に戻る時に、第二回転フレーム２００は自動的に回転・復帰できる。そして、スプリング作用によって戻される最後の段階において、ヒンジを閉じるためのクランプ力が提供される。当該カム類の協働において、ヒンジには限界角度や第二回転フレーム２００の最大開き角度、第一回転フレーム１００の最大開き角度がある。第一限界角度は、第一フレームの最大開き角度よりも小さい。第一回転フレームの最大開き角度は、第二回転フレームの最大開き角度よりも小さい。
【００２８】
限界角度は４５°から９０°の鋭角であり、最小常用角度（例えば、スクリーンが開かれる時にキーボードに対する最小常用角度、例えば、７５°など）に対応している。第一回転フレーム１００の最大開き角度は、最大常用角度（例えば、スクリーンが開かれる時にキーボードに対する最大常用角度、１３５°など）に対応しており、鈍角にすることができる。第二回転フレーム２００の最大開き角度は、最適サポート角度であり、例えば、１８０°をやや超えている。
【００２９】
ヒンジが閉じられた状態から第一回転フレームが限界角度までの回転中において、第二回転フレーム２００は、第一回転フレーム１００の回転によって動かされ、且つこれによって第二カム２を回転させ、それと同時に、第二カム２は固定カム３に沿って登る。第二カムは、回転している時に、第一カムから離れる方向にスライドして、前記スプリング６を圧縮する。この過程において、スライドカム４は、第一カム１と第二カム２に影響を与えない。限界角度に達すると、第三カム構造２３の凸状物２１と、固定カム３の凸状物３４とが噛み合う。
【００３０】
第二回転フレーム２００は、開かれる過程において限界角度まで回転すると、スプリング６の反力および第三カム構造２３と固定カム３との協働によって、最大角度まで自動的に開かれる。最大開き角度は、第二回転フレーム２００の最大回転角度に対応している。この過程において、カムの係合は凸状物２１と斜面３２の係合であり、第二カム２（第二回転フレーム２００）の回転をガイドすると同時に、第二カム２はスプリング６によって押し付けられて、第一カム１の方向にスライドするとともに、第一カム１の方向にスライドするようにスライドカム４を動かす。第二回転フレームが最大開き角度になると、第三カム構造２３と固定カム３との係合は、凹溝３１と凸状物２１との係合であり、最大角度でのサポートとロック機能を提供する。
【００３１】
限界角度になると、第一カム１と第一カム構造４１とには、互いに挿し込まれるとともに、第一カム１が一定の角度に回転するようにするスロット４４と挿し込み部位１１がある。一定の角度は、第一回転カムの最大開き角度と限界角度との差である。当該回転角度範囲内において、第一カム１と第一カム構造４１は、頂部１２と平面４５との係合である。両者の相互間作用なしに、第一カム１は、スライドカムがスライドするようにスライドカムを押さない。第一回転フレーム１００が限界角度を超えて引き続き回転して開かれる場合、第二カム２によって動かされ、スライドカム４は、第一カム１に向けてスライドし、挿し込み部位１１がスロット４４の中に落ちる。
【００３２】
限界角度から閉じられる状態まで第一回転フレーム１００が回転している間、当該回転中、第一カム１は、スライドカム４を押して第二カム２に向けてスライドさせる。第一カム１と第一カム構造４１の係合は、斜面１３と斜面４６との係合による。そして、第四カム構造２４と第二カム構造４２の係合、および、第三カム構造２３と固定カム３の係合によって、第二カム２は、閉じられる方向に向いて、第一回転フレーム１００よりも速いスピードで、限界角度まで回転し、且つ、スプリングを圧縮し、第一カム１から離れる方向にスライドする。第四カム構造２４と第二カム構造４２の係合、および、第三カム構造２３と固定カム３の係合は、凸状物２１と斜面３２および斜面４２の係合による。第四カム構造２４および第三カム構造２３の凸状物の高さは同様で、つまり凸状物２１からなる。
【００３３】
第二回転フレーム２００は、閉じられる過程において、限界角度まで回転すると、スプリング６の反力、および、第三カム構造２３と固定カム３との係合、または、第四カム構造２４と第二カム構造４２の係合によって自動的に閉じられる位置まで回転するとともに、第二カムを押し付けて第一カムの方向に向けてスライドさせる。この時、凸状物２１は、斜面３３または斜面４７との係合し、第二カム２（第二回転フレーム２００）の回転をガイドする。斜面４７は、位置を離す作用があるだけでなく、第一カムにロックする力を伝えることができる。
【００３４】
本考案は、タブレットＰＣやノートＰＣ、２イン１ＰＣ、ＰＡＤ、ＩＰＡＤサポートフレームの回転軸など、通信設備のフレームの回転軸として、各種のモバイル端末に使用できる。
【００３５】
ＰＡＤへの使用を例に挙げると、モバイル端末は、回転可能に連結された第一主体３００や第二主体４００を含む。回転軸５は、固定部を介して第一主体３００に接続されている。第二主体４００は、固定板５０によって第一回転フレーム１００と連結されている。第一主体にはキーボードが設置され、第二主体４００はスクリーンを備えたＰＡＤである。
【００３６】
上記内容はただの本考案の最良の形態に過ぎず、本考案の構造特徴はこれに限定されずに、本分野の技術者により本考案の分野内で行われた変更また修訂などは本考案の保護範囲内に含まれる。
【図１】
2019529833.tif 000003
【図２】
2019529833.tif 000004
【図３】
2019529833.tif 000005
【図４】
2019529833.tif 000006
【図５】
2019529833.tif 000007
【図６】
2019529833.tif 000008
【図７】
2019529833.tif 000009
【図８】
2019529833.tif 000010
【図９】
2019529833.tif 000011
【図１０】
2019529833.tif 000012
【図１１】
2019529833.tif 000013
【図１２】
2019529833.tif 000014
【図１３】
2019529833.tif 000015
【図１４】
2019529833.tif 000016
【図１５】
2019529833.tif 000017
【図１６】
2019529833.tif 000018
【図１７】
2019529833.tif 000019
【図１８】
2019529833.tif 000020
【図１９】
2019529833.tif 000021
【図２０】
2019529833.tif 000022
【図２１】
2019529833.tif 000023
【国際調査報告】
2019529833.tif 000024
2019529833.tif 000025
2019529833.tif 000026
2019529833.tif 000027
2019529833.tif 000028